(57)【要約】      （修正有）【課題】接地型３ピンプラグのアースピン或いは汎用家電用品の専用アース線に接続でき、電気製品に生じた電磁波と漏電をコンセントに導いて確実に接地でき、人体の健康を守り、感電防止の効果を有する接地型電源プラグアダプターを提供する。【解決手段】略直方体形状の底面には極性固定の活性ブレード１４、中性ブレード１５が設置され、該略直方体形状の一つの側面には３ピンプラグの挿し込みに供されるアース差込口１１、活性差込口１２、及び中性差込口１３が設けられ、該略直方体形状の天面にはアース線を固定できるアースねじ１６、インジケータ１７及び接地端子１８が設けられ、該接地型電源プラグアダプター１の内部には、該アースねじ、該中性ブレード、該インジケータ、該接地端子と導接しているプロテクター２が設けられ、該インジケータと該接地端子の間に抵抗器３が設けられることを特徴とする。【選択図】図３
0003108054.tif 000002
【実用新案登録請求の範囲】
【請求項１】
略直方体形状の外形を持つ接地型電源プラグアダプターであって、該略直方体形状の底面には極性固定の活性ブレード、中性ブレードが設置され、該略直方体形状の一つの側面には３ピンプラグの挿し込みに供されるアース差込口、活性差込口、及び中性差込口が設けられ、該略直方体形状の天面にはアース線を固定できるアースねじ、インジケータ及び接触端子が設けられ、該接地型電源プラグアダプターの内部には、該アースねじ、該中性ブレード、該インジケータ、該接触端子と導接しているプロテクターが設けられ、該インジケータと該接触端子の間に抵抗器が設けられることを特徴とする接地型電源プラグアダプター。
【請求項２】
上記プロテクターが、ヒューズ、或いは低抵抗、低ワット数の抵抗であることを特徴とする請求項１に記載の接地型電源プラグアダプター。
【請求項３】
上記インジケータが、ネオン灯であることを特徴とする請求項１に記載の接地型電源プラグアダプター。
【考案の詳細な説明】
【技術分野】
【０００１】
本考案は接地型電源プラグアダプターの構造に関し、特に接地型３ピンプラグのアースピン或いは汎用家電用品の専用アース線に接続でき、電気製品に生じた電磁波と漏電をコンセントに導いて確実に接地でき、人体の健康を守り、感電防止の効果を有する接地型電源プラグアダプターの構造に関する。
【背景技術】
【０００２】
電源プラグアダプターは日常使用される電源関連器具であり、接地機能を有する３ピンプラグを具備する電気製品を使用するとき、電源コンセントの種類に制限されないように使用するものである。だが、汎用接地型プラグである該３ピンプラグは、従来の電源プラグアダプターを使用するとそのアース機能を発揮できない場合がある。即ち、一般電気配線工事を施す際に、アースラインが配線されない場合があり、従来の電源プラグアダプターに付属するアース線を接続できず、アース機能を発揮できない場合がある。
【０００３】
一般の汎用家電用品では、２ピンプラグが使用される場合はそのプラグに接地機能がないため、専用のアース線が備えられているが、一般家庭の単相２ピンプラグ用コンセントの周辺は上記のとおり必ずしも接地ターミナルがあるとは限らないため、該アース線の存在意義がなくなり、接地されないまま使用される場合がある。
【０００４】
図４は、上記の汎用接地型３ピンプラグであるが、多くの消費者は、一般家庭用コンセントの単相２ピンプラグ用差込口に対応しようと該接地型３ピンプラグ７０の接地ピン７１を切断してしまうため、結果として、電磁波及び漏電をなくすための機能がなくなり、最悪の場合は感電事故が発生してしまうという問題点がある。
【考案の開示】
【考案が解決しようとする課題】
【０００５】
汎用電源プラグアダプターは上述欠点があるため、本考案の創作者は更なる改善を行い、多年累積の経験から本考案の接地型電源プラグアダプターを生み出した。即ち、本考案は、接地型３ピンプラグのアースピン或いは汎用家電用品の専用アース線に接続でき、電気製品に生じた電磁波と漏電をコンセントに導いて確実に接地でき、人体の健康を守り、感電防止の効果を有する接地型電源プラグアダプターを提供することを目的とする。
【０００６】
上記の目的を達成するため、本考案は下記のように実現される：
（１）略直方体形状の外形を持つ接地型電源プラグアダプターであって、該略直方体形状の底面には極性固定の活性ブレード、中性ブレードが設置され、該略直方体形状の一つの側面には３ピンプラグの挿し込みに供されるアース差込口、活性差込口、及び中性差込口が設けられ、該略直方体形状の天面にはアース線を固定できるアースねじ、インジケータ及び接触端子が設けられ、該接地型電源プラグアダプターの内部には、該アースねじ、該中性ブレード、該インジケータ、該接触端子と導接しているプロテクターが設けられ、該インジケータと該接触端子の間に抵抗器が設けられる。
（２）上記プロテクターは、ヒューズ、或いは低抵抗、低ワット数の抵抗であることが好ましい。
（３）上記インジケータは、ネオン灯であることが好ましい。
【考案の効果】
【０００７】
これにより、本考案は、接地型３ピンプラグのアースピン或いは汎用家電用品の専用アース線に接続でき、電気製品に生じた電磁波と漏電をコンセントに導いて確実に接地でき、人体の健康を守り、感電防止の効果を有する接地型電源プラグアダプターを提供することが可能となる。
【考案を実施するための最良の形態】
【０００８】
本考案の目的、特徴及び効果を下記の具体例にて説明し、又、添付図面を用いて説明する。
【０００９】
図１、図２は、それぞれ本考案の接地型電源プラグアダプターの立体図であり、図３は本考案の接地型電源プラグアダプターの内部構造を示す断面図である。
【００１０】
本考案の接地型電源プラグアダプター１は、略直方体形状を持ち、該略直方体形状の底面には極性固定の活性ブレード１４、中性ブレード１５が設置される。該略直方体形状の一つの側面にはアース差込口１１、活性差込口１２、及び中性差込口１３が設けられ、接地型３ピンプラグの挿し込みに供される。又、該略直方体形状の天面にはアース線を固定できるアースねじ１６、インジケータ１７及び接触端子１８が設けられる。該接地型電源プラグアダプター１の内部にアースねじ１６、中性ブレード１５、インジケータ１７、接触端子１８と導接しているプロテクター２（好ましくはヒューズ或いは低抵抗、低ワット数の抵抗である）、又、インジケータ１７（好ましくはネオン灯である）と接触端子１８の間に抵抗器３が設けられる。
【００１１】
本考案の接地型電源プラグアダプター１は、汎用コンセントの活性、中性差込口にそれぞれ活性、中性ブレード１４、１５を挿し込み、側面に設けられたアース差込口１１、活性差込口１２、及び中性差込口１３に接地型３ピンプラグを挿し込んで使用される。
【００１２】
本考案の接地型電源プラグアダプター１は、活性、中性ブレード１４、１５がそれぞれ正確に汎用コンセントの活性、中性差込口に挿し込まれる必要があるが、それは次のようにして確認される。
【００１３】
即ち、接地型電源プラグアダプター１の活性、中性ブレード１４、１５を汎用コンセントの活性、中性差込口に挿し込んだ後、指先で接触端子１８を触ることで、正確に汎用コンセントの活性、中性差込口に挿し込まれているか否かを判断できる。間違って挿し込まれた場合、即ち、汎用コンセントの活性差込口に中性ブレード１５が挿し込まれた場合、指先で接触端子１８を触ると人体の導電作用によって活性差込口から接触端子１８へ電流が流れ、インジケータ１７が点灯することで確認できる。そうなった場合、本考案の接地型電源プラグアダプターを外し、方向を変えてから再びコンセントに挿し込み、もう一度テストする。もし挿し込みが正確であれば、インジケータ１７は点灯しない。
【００１４】
本考案の抵抗器３は、指先で接触端子１８を触ってインジケータ１７が点灯する際に人体に過大な電流が流れるのを防止するためのものであり、炭素皮膜抵抗等、一般のものが使用可能である。
【００１５】
本考案のアースねじ１６は、接地機能がない２ピンプラグが使用される一般の汎用家電用品を、接地ターミナルがないコンセントに接続する際にアース線を接続するのに使用する。
【００１６】
本考案のプロテクター２は、ヒューズ、或いは低抵抗、低ワット数の抵抗よりなり、回路ショート或いは雷撃等による瞬間電流を遮断し、電気設備や電気製品の損傷を低減する。
【００１７】
コンピューター設備などの電気製品の３ピンプラグを本考案の接地型電源プラグアダプターの差込口１１、１２，１３に挿し込んだとき、３ピンプラグのアースピンがアース線の差込口と導接する。これにより、コンピューター設備などに生じた電磁波と漏電をコンセントに導き、確実に接地できるため、人体の健康を守り、感電防止効果を得ることができる。又、本考案のプロテクター２として、正確な遮断電流が設定できる自動パワーカット・プロテクターを設ければ、コンピューターなどの回路ショート、或いは雷撃による瞬間電流をより早く遮断でき、電気設備や電気製品の損傷を最小限に抑えることが可能となる。
【００１８】
上記説明の通り、本考案の接地型電源プラグアダプターは、優れた効果や産業上の利用性、創作性及び進歩性を有するが、上記の説明は、本考案の好ましい実施例の一つであり、本考案の実施範囲を限定するものではなく、本考案に基づき、変化或いは修正するものは本考案の申請範囲に属する。
【産業上の利用可能性】
【００１９】
本考案は、接地型３ピンプラグのアースピン或いは汎用家電用品の専用アース線に接続でき、電気製品に生じた電磁波と漏電をコンセントに導いて確実に接地でき、人体の健康を守り、感電防止の効果を有する接地型電源プラグアダプターを提供することが可能となる。  
【図面の簡単な説明】
【００２０】
【図１】本考案の立体ブロック図である。
【図２】別方向から見た、本考案の立体ブロック図である。
【図３】本考案の内部構造を示す断面図である。
【図４】従来の、汎用接地型３ピンプラグを示す。
【符号の説明】
【００２１】
１．  接地型電源プラグアダプター
１１．アース差込口
１２．活性線差込口
１３．中性線差込口
１４．活性ブレード
１５．中性ブレード
１６．アースねじ
１７．インジケータ
１８．接触端子
２．  プロテクター
３．  抵抗器
７０．汎用の接地型３ピンプラグ
７１．接地ピン
【図１】
0003108054.tif 000003
【図２】
0003108054.tif 000004
【図３】
0003108054.tif 000005
【図４】
0003108054.tif 000006